(57)【特許請求の範囲】
【請求項１】
足の縦アーチの前端部である第１〜第５中足骨のうち少なくとも１つの中足骨を触知可能な足裏部位が当接する第１の部材に前記中足骨を触知可能な足裏部位を受け止めて圧力を分散させる部材を設け、該縦アーチの後端部である踵骨を触知可能な踵部が当接する第２の部材に踵骨を触知可能な踵部を受け止めて圧力を分散させる部材を設け、前記第１、第２の部材を足の長手方向に相対的移動を可能とする移動機構を備えていることを特徴とする足の縦アーチを再生する健康具。
【請求項２】
足の縦アーチの前端部である第１〜第５中足骨のうち少なくとも１つの中足骨を触知可能な足裏部位が当接する爪先部に前記中足骨を触知可能な足裏部位を受け止めて圧力を分散させる部材を設け、該縦アーチの後端部である踵骨を触知可能な踵部が当接するカップ部に踵骨を触知可能な踵部を受け止めて圧力を分散させる部材を設け、該爪先部と該カップ部を足の長手方向に相対的移動を可能とする移動機構を備えていることを特徴とする足の縦アーチを再生する履き物。
【発明の詳細な説明】
【技術分野】
【０００１】  本発明は快適で健康的な歩行や立位を支援する足の健康具および履き物に関し、更に詳しくは、扁平化した足の長手方向の縦アーチを中空の荷重に強いアーチとして再生する足の健康具および履き物に関する。
【背景技術】
【０００２】  私たちヒトは、陸上動物の進化史の最後に登場した二足直立歩行をする唯一の動物である。私たちヒトの足には、それまでのサルや四足動物の足にはない「土踏まず」という文字通り地面に接しない３つのアーチからなる空間がある。【０００３】  図４は、足の足形と骨格、３つのアーチと土踏まずの関係を示す。図４（ａ）はヒトの足形と土踏まず１、（ｂ）はサルの足形を示す。「土踏まず」はヒトだけにある文字通り地面に接しない空間である。（ｃ）は、ヒトの足の骨格を示す。（ｄ）は３つのアーチと骨格の関係を足の内側面から透視した図である。土踏まずは、３つのアーチからなる。３つのアーチとは２つの縦アーチと、１つの横アーチである。縦アーチは内側と外側の２本ある。内側の縦アーチ（Ａ−Ｃ）は第１中足骨４１を主軸として、第２、第３中足骨４２、４３から踵骨５１まで弓状をなす最大のアーチである。外側の縦アーチ（Ｂ−Ｃ）は、第五中足骨４５を主軸として第４中足骨４４の２本から踵骨５１までの弓状をさす。横アーチ（Ｄ−Ｅ）は、足首よりも前方にあり、内側楔状骨４６、中間楔状骨４７、外側楔状骨４８、立方骨５０および、第１〜第５中足骨の足首側の端「底部」からなり、内側の縦アーチ（Ａ−Ｃ）と外側の縦アーチ（Ｂ−Ｃ）を弓状につないでいる。図４（ｆ）は、足を上から見たヒトの骨格と３つのアーチの関係を透視した図である。【０００４】  人にとって最も健康的な歩行は、図４（ｈ）に示すように、健全な３つのアーチによってつくられた「土踏まず１」という文字通りの非接地部を迂回するように足底重心がラセン曲線Ｓを描いて移動する。これを「あおり歩行」あるいは三角歩行という。３つのアーチが健全に形成されている時、つまり健全な土踏まずがある足は、足の骨格に付属する足の筋群が十分に収縮と緊張を繰り返す。上から降りてきた血液やリンパ液を律動的に上に押し上げる筋肉ポンプとしての役割を果たす。足は第二の心臓というように、全身の血行は足の土踏まずとの関係が深い。そのほか、「土踏まず」には、歩行時や走行時の衝撃を緩衝したり、足首や膝の関節のつながりが修復されるなどの働きがある。【０００５】  土踏まず１の形状が不十分な人は少なくない。そういう人は、足が扁平化して第１趾が変形する外反母趾や第５趾が変形した内反小趾になったり、（ｉ）に示すＰ，Ｑ，Ｒのように、（ｈ）のＳとは異なる偏心的な足底重心の移動曲線を描き、足や膝等に疲れや痛み、だるさなどを訴えることが多い。【０００６】  足は身体の最下部にある。足は、身を起こして直立している時は両足に全体重がかかる。しかし、二足歩行においては、片足だけが地面に接して全体重を受ける「立脚期」と、片足が地面から完全に離れて前に運ばれて荷重がかからない「遊脚期」がある。完全に地面から離れている足は、事実上、荷重ゼロになる。そして、片足は踵から接地して足底全体で体重を受け止める、やがて母趾の根本に重心はらせん曲線状に推移する。それとともに片足の荷重は０キログラムから自重まで徐々に増加する。それが早足、更に速度が増したランニングになると、足への荷重は自重の２倍にも及ぶことがある。【０００７】  従来の足の縦アーチを再生する健康具は２つある。【０００８】  一つ���は、図６（Ａ）（Ｂ）に示すように、帯状部１０と固定ひも部３０で構成された装具である。帯状部と固定ひも部はいずれも非伸縮性のシート状の素材からなる。帯状部は、横アーチを再生する以下の構成からなり、固定ひも部を延設することで足の内側と外側の縦アーチを再生する。帯状部の中央に位置する本体部は、足の横アーチ図４（ｆ）のＥ−Ｄを構成する骨の甲側、つまり足の表側に当接する。本体部に続く一端側の足の裏に当接する部分には貫通孔６４が設けてある。その貫通孔に帯状部の他端を貫通させるとループができる。ループ部に足をつま先から挿入し、帯状部の一端と他端を水平に引くと、図５（ｂ）のように横アーチの両脚部は足裏の中心方向に誘導することで横アーチが再形成される。帯状部の一端側の端部を本体部のおもて側の面と係合する。帯状部の他端の端部を本体部のおもて側の面と係合することで、図５（ｃ）のように力Ｓと力ａｒｃ．がバランスした荷重に強い中空の横アーチを再生することができる。帯状部が当接し、再生した横アーチには内側、外側の縦アーチの前脚が含まれており、内側、外側の縦アーチの後脚は踵骨が兼任しているので、帯状部と踵骨を近接させることで、事実上、内側、外側の縦アーチが再生することになる。帯状部と踵骨を近接させるための手段として固定ひもを帯状部に延設し、踵を経由させた固定ひも部の両端と本体部とを結合することで足の内側と外側の縦アーチを再生する。（例えば、特許文献１参照）【０００９】  二つ目は、図６（Ｃ）乃至（Ｅ）に示すような装着具である。指の付け根位置あるいは足指の付け根から所要寸法隔てた位置から足裏中央部を越えて踵側へと向けて縦方向に配置した足裏高パワー部２１を設け、着用状態で土踏まずの部分が足の内側と外側の縦アーチを形成する構造になっている。（例えば、特許文献２参照）【００１０】
【特許文献１】  特許登録第４３７４４２４号
【特許文献２】  特許登録第４６９０９３１号
【発明の開示】
【発明が解決しようとする課題】
【００１１】  特許文献１は、足の横アーチを補強、再生した帯状部を横から見ると図６（Ａ）に示すように、ちょうど円錐の尖端部を切った漏斗状の筒体をなしている。漏斗状の筒体は、足首方向へ固定ひも部で引っ張ると、筒体はさらに足にフィットして、しっかりと足周囲を締めつける。固定ひも部には足の横アーチ部を補強、再生した帯状部を踵側に誘導し、ショパール関節（図４（Ｃ）Ｓ−Ｓ’）、及びリスフラン関節（図４（Ｃ）Ｌ−Ｌ’）、および足根間関節（図４（Ｃ）太線）など、足の長手方向の締結を強化し、足の内側、および外側の縦アーチを補強、再生する働きがある。【００１２】  しかし、人の足の甲の形には個人差がある。特許文献１の図６（Ａ）のように、横から見た足の形が「甲高の人」の場合であれば上記作用が生じるが、足の甲が低い人、横から見て勾配の小さい人の足は、帯状部が漏斗状の筒体にならない。そのような筒体を固定ひも部で踵方向へ引っ張っても筒体が足首側にずれてしまうため、帯状部と踵骨は有効に近接しない。したがって、足の甲が低い人の場合、その人の足の内側、および外側の縦アーチを補強、再生することはできなかったという課題があった。【００１３】  特許文献２は、足の縦アーチを再生する健康具および履き物は、弾性を有するソックス等に弾性を有する帯状の繊維帯を逢着することで足の縦アーチ形成し、維持するとしている。しかしながら、従来の弾性を有するソックス等に弾性を有する繊維帯を設けた足の縦アーチを再生する健康具は、絶えず荷重負荷が変動する足の縦アーチを中空の荷重に強いアーチとして安定的に維持することはできないという欠点があった。【００１４】  身体の最下部にある足は、荷重の変動が大きい。歩行時、足は地面を離れて前方に送る無負荷の状態から、着地して全体重が負荷する状態にまで一歩一歩入れ替わる。つまり、足は歩行時、自重０％〜１００％の間を毎歩ごとに入れ替わり変動するのである。それが早足になったり、更に速度が上がってランニングになると、足への荷重は自重の２倍にも及ぶことがある。【００１５】  仮に、弾性を有するソックス等で静止立位時の体重６０キログラムの人の足の縦アーチが維持できるとする。左右の足には３０キログラム、３０キログラムの荷重が均等に配分されたものとすると、ソックスの弾性は３０キログラムの荷重に抗して縦アーチを形成する能力があることになる。体重６０キログラムの人が歩き始めると、片足にかかる荷重は０キログラムから６０キログラムまでの変動巾が生じる。片足が地面から完全に離れて前方に送り出される遊脚期は、足にかかる荷重が０キログラムになる。この時、３０キログラムもの荷重に抗してアーチを形成するソックスの収縮力は、かかる荷重が０キログラムの足にとっては、適正な足の縦アーチを形成するどころか、むしろ過剰な弓なりのハイアーチを形成するリスクになるとともに、無負荷の足を締め付けすぎて足の血行を阻害するリスクにもなる。そして、全体重６０キログラムグラムが片足にかかる立脚中期には、３０キログラムに抗するソックスの収縮力では足の縦アーチを形成するまでに及ばないため、理論的にも縦アーチの維持は無理であり扁平化から脱しにくい。また、早足やランニングの祭には、足��縦アーチを形成するには遠く及ばないため、縦アーチの維持は困難となり扁平化は避けられない。【００１６】  以上述べた従来の足の縦アーチを再生する健康具では、使用者の足の甲が高さや、足にかかる荷重の変動により、扁平化した足の縦アーチを中空の荷重に強いアーチとして安定的に維持再生することが困難であった。【００１７】  本発明は、このような従来の構成が有していた問題を解決しようとするものであり、足の内側、および外側の縦アーチを中空の荷重に強いアーチとして安定的に維持再生する健康具、および履き物を提供することを目的とする。
【課題を解決するための手段】
【００１８】  そして、本発明は上記目的を達成するために、以下の手段をとった。足の縦アーチの前端部である第１〜第５中足骨のうち少なくとも１つの中足骨を触知可能な足裏部位が当接する第１の部材に前記中足骨を触知可能な足裏部位を受け止めて圧力を分散させる部材を設け、該縦アーチの後端部である踵骨を触知可能な踵部が当接する第２の部材に踵骨を触知可能な踵部を受け止めて圧力を分散させる部材を設け、前記第１、第２の部材を足の長手方向に相対的移動を可能とする移動機構を備えていることを特徴とする足の縦アーチを再生する健康具を構成している。【００２１】  上記第１の課題解決手段による作用は次の通りである。第１、第２の部材に少なくとも１つの中足骨および踵骨を触知可能な踵部を受け止めて圧力を分散させる部材を設けた目的は、利用者に苦痛を与えずに完成度の高い縦アーチを再生することにある。移動機構により第１の部材と第２の部材を近づける操作をすると、第１の部材と足の縦アーチの前端部である第１〜第５中足骨のうち少なくとも１つの中足骨を触知可能な足裏部位の接点、および第２の部材と踵骨の接点の圧力は上昇する。すると、使用者によっては、操作の早期に中足骨や触知可能な踵部の接点に痛みが生じてしまい、十分な近づけ操作ができなくなることが想定される。それでは縦アーチの再生が不十分のうちに終わってしまうことになるので、１、第２の部材に中足骨や踵骨を触知可能な踵部を受け止めて圧力を分散させる部材を設けることにした。これにより、第１、第２の部材と中足骨や踵骨を触知可能な踵部に生じる圧力は、１点集中型から分散型になるから、利用者に苦痛を与えずにすむ。それに加えて、十分な近づけ操作が可能になるから、より完成度の高い縦アーチを再生することができる。つまり、上記構成により使用者の足の甲の高さや、足にかかる荷重の変動に関係なく、荷重に強い中空の内側及び／又は外側の縦アーチを再生することができる。【００２２】  また、第２の課題解決手段は、足の縦アーチの前端部である第１〜第５中足骨のうち少なくとも１つの中足骨を触知可能な足裏部位が当接する爪先部に前記中足骨を触知可能な足裏部位を受け止めて圧力を分散させる部材を設け、該縦アーチの後端部である踵骨を触知可能な踵部が当接するカップ部に踵骨を触知可能な踵部を受け止めて圧力を分散させる部材を設け、該爪先部と該カップ部を足の長手方向に相対的移動を可能とする移動機構を備えていることを特徴とする足の縦アーチを再生する履き物である。【００２３】
上記第２の課題解決手段による作用は次の通りである。爪先部に前記中足骨を触知可能な足裏部位を受け止めて圧力を分散させる部材を設け、カップ部に踵骨を触知可能な踵部を受け止めて圧力を分散させる部材を設けたので利用者に苦痛を与えずにすむと共に、十分な近づけ操作が可能になるから、使用者の足の甲の高さや、足にかかる荷重の変動に関係なく、歩きながら荷重に強い中空の足の内側、および外側の縦アーチを安定的に維持再生する履き物を提供することができる。
【発明の効果】
以上の説明から明らかなように、本願発明にあっては次のような効果が得られる。
使用者の足の甲の高さや、荷重の変動に関係なく、扁平化した足の縦アーチを中空の荷重に強いアーチとして再生することができる。このため、直立二足歩行をする人類の足裏に備わる「土踏まず」という文字通り地面に接触しない空間が確保できるようになるので、土踏まずがもたらす足が軽く歩きやすくなる効果や、足の血行がよくなること、足首や膝関節の動きが円滑になるというメリットが得られる。
更に、圧力を分散させる部材を設けたことにより、利用者に苦痛を与えることなく、十分な近づけ操作が可能となる。
【発明の効果】以上の説明から明らかなように、本願発明にあっては次のような効果が得られる。
使用者の足の甲の高さや、荷重の変動に関係なく、扁平化した足の縦アーチを中空の荷重に強いアーチとして再生することができる。このため、直立二足歩行をする人類の足裏に備わる「土踏まず」という文字通り地面に接触しない空間が確保できるようになるので、土踏まずがもたらす足が軽く歩きやすくなる効果や、足の血行がよくなること、足首や膝関節の動きが円滑になるというメリットが得られる。
【図面の簡単な説明】
【００２４】
【図１】  本発明の実施例１を側方から見た外観図と骨格の変化の外観図
【図２】  本発明の実施例２の上面図、側面図
【図３】  本発明の実施例３の透視図、および分解図、上面図
【図４】  ヒトの足形と骨格、３つのアーチと土踏まずの関係を示す図
【図５】  アーチの力学図
【図６】  特許文献１および２の図
【発明を実施するための形態】
以下、本発明の実施の形態を図１（Ａ）に基づいて説明する。図１（Ａ）においては、第１の部材１は第１中足骨４１を触知可能な足裏部位が当接する可動部材で、第１中足骨４１の頭部４１ｂを触知可能な足裏部位が内側の縦アーチの前脚端部として主に当接している。第２の部材２は踵骨５１を触知可能な踵部が当接する固定部材である。第１の部材１と第２の部材２を移動可能にする移動機構３は、ボール盤バイス等を採用しても良い。ボール盤バイスの可動金口３ａは第１の部材１と連結してある。第２の部材２と移動機構３は基盤４の上にあって動かないように固定してある。ハンドルバー３ｂを回転させるにより、第１の部材１は第２の部材２と相対的に近接、隔離が自在にできる。これにより、図１（Ａ）においては内側の縦アーチを再生できる。
【００２５】  図１（Ａ）は、第１の部材１と第２の部材２は谷型の勾配をつけて組み立ててあるが、第１の部材１および第２の部材２が当接する第１〜第５中足骨の接点や踵骨を触知可能な踵部の接点と十分な摩擦が生じるようなラテックスやゴム等の素材であれば、部材１と２は水平でもよいし、勾配をつけてもよい。
【００２６】  第１の部材１と第２の部材２を水平に設置した場合の利点は、初めての利用者でも安心して第１の部材１と第２の部材２に足をのせることができるという点である。しかし、水平に設置された第１の部材１と第１中足骨頭部の接点は４１ａであり、第２の部材と踵骨を触知可能な踵部の接点は５１ａである。足が両部材から受ける力は、垂直方向の抗力だけである。そして、第１の部材１と第２の部材２を近接させる操作をおこない第１中足骨４１を触知可能な足裏部位と踵骨５１を触知可能な踵部の距離を近づけると、両部材と各骨の間にある柔らかくて伸縮や変形を許容する皮膚や皮下脂肪層は水平方向に引っ張られて剪断力を受けることになる。第１の部材１および第２の部材２と第１中足骨の接点および踵骨を触知可能な踵部の接点の摩擦力が、両部材と各骨の間にある分厚くて柔らかい皮膚や皮下脂肪層に剪断力を与えながらも、第１中足骨の接点と踵骨を触知可能な踵部の接点が近づいた分、縦アーチの頂点近傍の高位を上昇させるたわみ力となり、縦アーチの再生という結果になるのである。したがって、第１、第２の部材１、２を水平位にて行った場合、利用者によっては足裏の皮膚に不快感や痛みを感じられるという不利益が生じることも配慮しなければならない。
【００２７】  それに対して、第１の部材１と第２の部材２を図１（Ａ）のように谷型の勾配をつけて組み立て、足をのせると、図１（Ａ）のように、第１中足骨と第１基節骨５２の関節部で足の指が足の甲側に背屈するかたちになる。たとえば、θ１、θ２を３０度程にして勾配をつけて組み立てると、第１の部材と第１中足骨４１を触知可能な足裏部位の接点は、水平設定時の第１中足骨の頭部の真下部分４１ａから脂肪組織が薄い第１中足骨４１の頭部軸芯近傍４１ｂに変わる。第２〜第５中足骨頭部の接点も同様に、真下部分ａから頭部軸芯近傍ｂに変わる。僅かな接触角度の変化のように見えるが、これは大きな違いをうむ。踵骨を触知可能な踵部の接点も脂肪層の多い真下５１ａから脂肪組織が薄い踵骨を触知可能な踵部の後下方５１ｂに変わる。この状態で第１の部材１と第２の部材２を近接させると、前も後ろも柔らかい組織の剪断力が軽減するので、利用者の苦痛等は軽減する。さらに、図１（Ｂ）の拡大図が示すように、勾配を持つ第１の部材１と第２の部材２からの抗力として縦アーチの両端部の接点４１ｂを触知可能な足裏部位、５１ｂを触知可能な踵位には、縦のアーチの頂点近傍へ向かう上向性のベクトルと、両接点が近接しあう求心性のベクトルが同時発生するので、内側と外側の縦アーチの再生は容易になる。つまり、水平に組んだ時よりも、利用者の苦痛等が減り、内側と外側の縦アーチの再生は効率的になる。このとき、足の甲の高さや荷重の変動は関係ない。
【００２８】  本発明の使用法について述べる。使用者は、アーチが扁平化している患足を第１の部材と第２の部材にのせる。もう一方の足は、患足とほぼ同じ高さの台にのせ、立ってもらい足に荷重がかかる状態で操作する。操作者は、移動機構３のハンドルバー３ｂを回して、第１の部材と第２の部材を近づける。移動機構３があることで操作者も利用者も安心して目的を達成することができる。それは、操作者は、足の縦アーチの前端部と後端部を近接させる操作をハンドルバー３ｂでするのであるが、アーチが再生されている過程を目や手で客観的に、しかも冷静にリアルタイムで確認しながら操作の加減できるからである。移動機構３のハンドルバー３ｂを回す量は、まず、使用者が痛くない範囲で行うということが最優先である。次は、第１の部材と第２の部材は少し近づくだけでもアーチを構成する関節の関節液は相応に浸透するので、縦アーチが再生されている様子はアーチ外周のせり上がりからその作用を見て取ることができる。アーチ外周のせり上がりが確認できたら、その場で膝と足首の屈伸を１０回ほど行ってもらう。屈伸運動により足根間関節のつながりをさらになじませ、関節液を浸透をはかることができる。屈伸ができたら、ハンドルバーを逆方向に回して第１、第２の部材を隔離する。そして、本健康具から降りてもらい、その場で足踏みや屈伸をしたり、周辺を歩いてもらい、足の変化とその効果を確認してもらう。
【００２９】  本健康具にのる前に、患足に特許登録第４３７４４２４号の帯状部１０を装着してもらい、横アーチを補強再生した状態で本健康具による縦アーチ再生の操作をうけると、足の３つのアーチを一括して安定的に維持再生することができるのでさらによい。
【００３０】  図１（Ｂ）および図１（Ｃ）をもとに、扁平化したアーチの骨組みが本発明によりどこがどのように変化するのかを注目していただきたいので、図から第１基節骨５３、末節骨５４、および移動機構３は省略した。第二中足骨から第五中足骨、および各基節骨から末節骨も以下の説明と同様の変化が起こるので図から省略した。図１（Ｂ）は、扁平化した内側の縦アーチの図である。第１の部材１が第１中足骨４１の頭部軸芯近傍４１ｂを触知可能な足裏部に当接し、踵骨の後下方５１ｂを触知可能な踵部が第２の部材２に当接している。この時、縦アーチの内周側の骨と骨の間には隙間Ａがいくつかある。
【００３１】  図１（Ｃ）は移動機構３により両部材が近接したときの図である。移動機構３により両部材が近接すると、４１ｂを触知可能な足裏部位と５１ｂを触知可能な踵部の距離は短くなるともに、縦アーチの内周側の骨と骨の間にあった隙間Ａ‘は、隙間Ａより狭小化され、内側の縦アーチの頂点近傍にある距骨５２や舟状骨４９の高位は上昇する。こうして縦アーチは再生するのであるが、本発明がこの作用をなすだけであれば、本健康具から降りればすぐに扁平した足に戻ってしまう。けれども本発明の目的は、足の内側、および外側の縦アーチを安定的に維持再生することであるので、本健康具から降りてもすぐに骨と骨の間の隙間が広がらないで安定的に効果が持続する理由を以下に述べる。
【００３２】  足や靴の医学業界では、足のアーチ（土踏まず）は、足の裏にある足底の筋群や靱帯が担っているとされている。そのため、従来は扁平化した足底の筋群を強化する運動や足底の筋群を補う装着具が開発されてきた。出願者も足底の筋群や靱帯が足のアーチの担い手であることは否定しないが、それらは主役ではなく、二番手、もしくは三番手であると考える。仮に足底の筋群や靱帯が足のアーチの主役だとすれば、ヒトよりもはるかに足の趾（指）を巧みに使い、木の幹を掴んで登ったり、逆さまにぶら下がったり、素早く木々の間を移動する樹上生活者、サルの足にこそ足底の筋群や靱帯によるアーチや土踏まずがあっても不思議はない。しかし、図４（ｂ）に示したようにサルの足には土踏まずは存在しない。サルの足の裏には強力な足底筋群と、その活動をサポートするための強力な靱帯が発達しているはずだから、土踏まず形成の要は足底の筋群や靱帯ではなかったという当方の考えは簡単に否定されるものではない。
【００３３】  土踏まず形成の要は足裏の筋群や靱帯などの軟組織ではないとすると、残るは硬組織、もしくは結合組織となる。直立二足歩行をするヒトの足裏に非接地部分が必要であったのであれば、骨盤を構成する寛骨のような大きな弓なりの板状の骨を一枚足に備えれば十分であった。しかし、図４（ｂ）にあるように、ヒトの足は土踏まず（３つのアーチ）を、踵から第１〜第５中足骨までの１２個もの骨で形成した。１枚の骨ではなく、あえて１２個の骨に分割して増やしたものは１２個の骨の総接合面積、つまり関節面積と考える以外ない。１２個の骨の網目状の関節ネットワークを「足根間関節」という。図４（ｂ）の太線が「足根間関節」である。出願者はドイツ製の全身骨格骨モデルの足の部分（約２５ｃｍサイズの足）を分解して足根間関節の関節面１つひとつの拓本をとり、その総面積を計測したところ、片足で１２０ｃｍ２もあった。その広大な面積を潤すに足る量の関節液、やや粘性を持った流体が、足根間関節の関節包の内部に貯留されているのである。１２個の骨からなる広大な面積を流体で繋げるためには、流体がもつ表面張力という原理によるしかないと出願者は考えた。
【００３４】  図１（Ｂ）では、縦アーチの内周側の骨と骨の間には隙間があるので、関節液は隙間の尖部、縦アーチの外周側に偏在してしまい足根間関節の関節面全体に浸透しえない。この状態では関節間の表面張力は作動しにくい。つまり、１２個の骨の締結力は弱くなる。そこで本発明の移動機構３により第１、第２の両部材を近接させると、図１（Ｃ）のように、４１ｂと５１ｂの距離は短くなるとともに、縦アーチの内周側の骨と骨の間にあった隙間は狭小化され、内側の縦アーチの頂点近傍にある距骨５２や舟状骨４９の高位は上昇する。こうして内側の縦アーチは再生するのであるが、このとき、足根間関節の面と面の隙間は、楔状から平行状態に変化する。移動機構３により両部材を近接させると、４１ｂと５１ｂの距離は短くなり、隙間の尖部、縦アーチの外周側に偏在していた関節液が隙間の狭小化、そして平行化にともなって縦アーチの内周側に移動する。つまり、関節液が足根間関節の隅々にまで浸透するようになる。この実施例１により、１２個の骨からなるヒトの足の上踏まず（３つのアーチ）は、足根間関節の隅々に浸透した関節液の表面張力によって強く締結される、ことを出願者は確認した。足底の筋群や靱帯は、その二番手、もしくは三番手であると考える。なぜなら、本健康具にのり、所定の操作をすれば、その場で足の変化と効果を利用者に確認してもらうことができるからである。そして、その効果は一定期間持続することを出願者は臨床試験的に確認しているし、次の緩衝原理からも裏付けることができる。
【００３５】  もし本当に足底の筋繊維や靱帯性の繊維が一歩一歩足からはいる振動や衝撃を緩衝、吸収しているとしたら、毎日、長い距離を走るマラソンランナーの足の裏の筋群や靱帯の繊維は伸びきっていることになる。ベテランほど足の裏をアスファルトに叩きつけているのだから、足の裏の筋群や靱帯の繊維は伸びきってしまい、足の土踏まず（アーチ）も喪失していることになる。けれども、そのような事実はない。むしろ、毎日歩いていない人、走ったりしない人の足の裏の方が、筋肉は硬く繊維化したり、扁平化している。
【００３６】  歩行時や走行時は、振動や衝撃を含む地面反力が足から入る。健全なアーチを持つ人の足では足の前と後の端部、第１〜第５中足骨頭部とを触知可能な踵部から、縦アーチの頂点にある距骨５２に向かって勾配を直進的にのぼるのであるが、その振動や衝撃は、足根間関節の関節面に貯められた関節液により減衰されていると考えられる。縦方向のぼってきた振動や衝撃を、足根間関節に貯留している関節液が横方向の運動エネルギーに変換する。つまり、足根間関節の関節面に沿って足の裏や甲の方向に地面反力を逃がす油圧性の緩衝機構によって振動や衝撃の極めて少ない力に減らして下腿、膝、腰を守っている、と考えるのである。
【００３７】  アーチ式石橋を代表例として、図５（ａ）（ｂ）（ｃ）をもとにアーチの特性を示す。アーチ式石橋は１つ以上のくさび形の石を有する石列であり、荷重Ｇがかかることでおのずと外側に広がろうとするスラスト力Ｓが生じる。アーチの両脚部に止めがない場合、あるいはあっても弱い場合はアーチは必然的に扁平化する。それを修復する場合、アーチの両脚部にはスラスト力Ｓと拮抗するアーチ反力ａｒｃ．に力αを追加する必要がある。（ｂ）のａｒｃ＋αがそれである。ａｒｃ＋αによって（ｂ）から（ｃ）の状態に復元することができる。（ｃ）では、アーチの両脚部はスラスト力Ｓとアーチ反力ａｒｃ．は拮抗してアーチ形状を保つ。実際の石橋では丈夫な両岸がアーチ反力ａｒｃ．の役割を果たす。この時、（ｂ）の内周側にある石と石の隙間はなくなる。
【００３８】  アーチ式石橋の構築を構築する際の三要素は、▲１▼ひとつ以上のくさび形の石があること。▲２▼アーチ両脚が開かないように受け止める丈夫な両岸。▲３▼上からの荷重。以上の３要素である。▲３▼の「上からの荷重」というのは石材の総重量と捉えても良い。だから石材も軽い石材よりも密度の高い石材の方が隣り合う石と石の締結力が増すので、上からの力だけでなく、横からの力にも強い構造体となる。以上３つの要素が揃っている時、アーチ式石橋は上からの荷重に非常に強い中空の空間を保つ構造体となる。実質的には、弓状にならべた石材や両岸の岩盤が破裂する荷重がかかるまで、アーチ式石橋の構造はそのアーチ下の中空の空間を守り続けることができる。ローマの水道橋などは４０００年以上にわたりアーチ下の中空の空間を保ち続けている。このように、アーチ式石橋は上からの荷重には非常に強い。しかしその反対に、下からの突き上げ力や上からの引き抜き力には非常にもろい。実質的に、アーチの石列に沿う形のかまぼこ形の凸の組み物をアーチの石列の下入れ、石材総量プラスアルファ程度の力でジャッキアップするだけでアーチ式石橋は壊れる。実際に土木工学では、「支保工」というかまぼこ形の組み物をアーチの石列の下入れ、できた隙間にロープを入れ、クレーンで積み石を１つずつ引き上げて解体作業をしている。
【００３９】  足に荷重がかかるとアーチができる根拠となる文献をもとに述べる。文献「構造医学  解析Ｉ」吉田勧持著  エンタープライズ社刊  頁４０〜４２４１頁の図２９▲１▼乃至▲３▼には、接地しているところがラセン形だと、荷重をかけると接地点が自動的に支点になって外側に広がらない力が生じるということが描かれている。もし、アーチ両端で接地する骨のかたちがラセン形であり、しかも、それが向かい合っているとすれば、足に荷重がかかると各アーチの両端の骨、つまり第１〜第５中足骨の頭部や踵骨にアーチが外側に広がるのを抑える「アーチ反力」が自動的に出現することになる。つまり、ヒトの足は、アーチの両脚間の軟組織の力ではなく、アーチをなす両脚端の骨そのものにアーチ反力が発生する仕掛けが内在していたと説明ができる。
【００４０】  先に述べたアーチ式石橋を構築する三要素を、ヒトの足は備えている。▲１▼３つのアーチは、各々１つ以上のくさび形の骨がある。▲２▼各アーチの両端の骨は、アーチ両脚が開かないように「ラセン形状」をなしている。▲３▼立位や歩行時は、身体のどこよりも荷重を受けている。足のアーチを形成する要は、広大な足根間関節に内在する関節液による表面張力である。足の衝撃緩衝作用は、広大な足根間関節に内在する関節液による油圧緩衝機構である。足や靴の医学業界では、足のアーチ（土踏まず）を形成する要は、足の裏にある足底の筋群や靱帯であるとしている。また、足の緩衝作用も足の裏にある足底の筋群や靱帯であるとしている。しかし、現実的には、筋群や靱帯の軟かい組織には、体重や歩行時の衝撃に対する耐久性は無いと考える。体重や歩行時の衝撃に対する耐久性は、骨などの硬い組織や水等の非圧縮性の流体にこそあり得ると考える。
【００４１】  図２（Ａ）乃至図２（Ｂ）をもとに本発明の第２の実施の形態を説明する。図２（Ａ）は上面図を示し、図２（Ｂ）は斜面図を示す。第１の部材１は第１〜第５中足骨のうち少なくとも１つの中足骨を触知可能な足裏部位が当接し、第２の部材２は踵骨を触知可能な踵部が当接する。移動機構３は前記第１の部材１と第２の部材２とを相対的移動を可能とする。４は、第２の部材２と移動機構３を搭載固定する土台である。前記第１の部材１には、第１〜第５中足骨のうち少なくとも１つの中足骨を触知可能な足裏部位を受け止めて圧力を分散させる部材１５を設けてある。１５ａは第１〜第５中足骨のうち少なくとも１つの中足骨を触知可能な足裏部位を受け止めるためのストッパー、１５ｂは受け止めた圧力を分散させる緩衝材を設ける。前記第２の部材２には、踵骨５１を触知可能な踵部を受け止めて圧力を分散させる部材１６を設けてある。１６ａは踵骨を触知可能な踵部を受け止めるためのストッパーで、１６ｂは受け止めた圧力を分散させる緩衝材を設ける。
【００４２】  第１、第２の部材１１，１２は、水平に設定してあるので、初めての利用者でも安心して足をのせることができる。第１、第２の部材は、木、金属、樹脂、ゴムなど板状のものであれば何でもよい。これにストッパー１５ａ、１６ａを設ける。ストッパーも木、金属、樹脂、ゴム等でよい。加工しやすい点ではバルサ材でも良い。ストッパーは上から見てやや月形の切り込み１５ｃを入れ、側面から透視して踵骨側が低い３０度程度のスロープ１５ｄをつけるとストッパーには第１〜第５趾のうち少なくとも１つの足趾の先が自然にのるようになるので、利用者にとって楽な足位がとれるのでよい。緩衝材１５ｂ、１６ｂの袋体は、ポリエチレンやナイロン、塩ビ等でよい。それに高分子吸水体ポリマーなどのゾル状の流体を封入した保冷剤でよい。袋体の巾はおよそ５ｃｍ、長さは１９ｃｍ〜２０ｃｍ程度であれば、ほとんどの人の足に対応できる。緩衝材に封入する流体の量は、月形の切り込み１５ｃの中に据えて少し柔軟に曲がるくらいの封入したものでよい。
【００４３】  ストッパー１５ａは、第１〜第５中足骨４１〜４５のうち少なくとも１つの中足骨を触知可能な足裏部位と緩衝材を１５ｂを受け止めるために設けた。ストッパー１６ａも同様に踵骨を触知可能な踵部と緩衝材１６ｂを受け止めるために設けた。緩衝材１５ｂは、個体差のある第１〜第５中足骨のうち少なくとも１つの中足骨を触知可能な足裏部位の長さの凹凸を流体が埋めてくれる。及び／又は、パスカルの原理によって第１〜第５中足骨のうち少なくとも１つの中足骨の頭部を触知可能な足裏部位や踵を触知可能な踵部にかかる圧力が一点に集中するのではなく、水圧が均一に、面的に分散するので、縦アーチの両端部にかなり強い近接力を移動機構により与えても利用者にとって苦痛にならない。
【００４４】  緩衝材とストッパーを備えた第１の部材１が第２の部材２と近づくように操作をすると、第１〜第５中足骨のうち少なくとも１つの中足骨の頭部軸芯近傍４１ｂ〜４５ｂには、緩衝材１５ｂから踵骨側に近接する力と、距骨方向を向いたやや上向きのベクトルの力が与えられる。これらは、縦アーチ再生にとって非常に有利な力になる。また、利用者の体重は、第１〜第５中足骨のうち少なくとも１つの第１〜第５中足骨頭部の真下４１ａ〜４５ａを触知可能な足裏部位から第１の部材が受け止めるので、本健康具の上で立ったりしゃがんだりする動作をしても、第１〜第５中足骨の頭部軸芯近傍４１ｂ〜４５ｂや踵骨の後方の広い領域５１ｂに圧力が分散されるので、利用者にとっては苦痛が軽減される。踵骨の真下５１ａには利用者の体重はがかかり、移動機構による揚力は分散されるので、利用者にとっても苦痛が非常に少ないし、操作者にとっても縦アーチを再生するという目的を達成することが容易になった。
【００４５】  本健康具にのる前に、図２（Ｄ）のように使用者は患足に特許登録第４３７４４２４号の帯状部１０を装着してもらい、あらかじめ横アーチを補強再生する。その状態で本健康具による縦アーチ再生の操作をうけると、足の横アーチを含む３つのアーチを一括して安定的に維持再生することができるのでさらによい。
【００４６】  実施例２の発明の使用法について述べる。まずは、どのくらいハンドルバーを回すかということについて述べる。本実施例では使用者の足趾や踵を受け止めて圧力を分散する部材、例えば、ストッパーと緩衝材の類を導入したことにより使用者の苦痛等は劇的に軽減したので、移動機構のハンドルバーをかなり回すことができるようになった。それは言い換えると、第１の部材と第２の部材を容易に近接させて、足の縦アーチを効率よく再生できるようになったということであるが、回しすぎないよう注意を要する。ハンドルバーを回す目安は、使用者の感覚と、操作者の目と手で確認するという方法がある。一つ目は、使用者に、もし痛みを感じたら言葉で伝えてもらうようにすること。二つ目は、ハンドルバーを回すにしたがって足の甲部がせり上がる、あるいは、土踏まずの空間が高くなるという変化をみてとれるので、それを目で見ながら加減するという方法。また、ハンドルバーを回していると、緩衝材の袋体が徐々にパンパンに膨らんでくるので、操作者の目で袋体の膨らみ具合を確認して加減するという方法、それと併行して、膨らんでくる緩衝材を指先で押してみれば、使用者の足趾先端にかかっている圧力を推察することができる。
【００４７】  どの位の頻度で本健康具を使用するか。また、何に気をつけて生活すれば足のアーチは持続的に再生するのかについて述べる。まずは使用頻度。一回の操作でアーチの再生を完結させる必要はない。性急に結果を出す必要はない。何回かに渡って、少しずつ足の足根間関節に関節液が行き渡る状況を形成することが大切である。初期は、週に１〜２回。足のアーチの再生がすすむと、足や膝、股関節など痛み症状等が改善してくるので、週に１回、１０日に１回、さらには２週に１回、月に１回等に徐々に間隔を開けてよい。
【００４８】  大切なのは、日常の足使いである。足は身体の最下部にあるので、もともと荷重を好む場所なのである。先に述べたように、足は荷重を受けることで３つのアーチからなる土踏まずという中空の空間を設けることができたので、その原理原則に従って足にしっかり荷重を乗せる生活を意識すべきである。土踏まずに問題がある人と椅子に座って話をしていると、十中八九、問題のある足が床についていない。悪い方の足を上にした足組座りをしていたり、つま先立てていたり、踵だけ床についていたり、５趾側の側面が床について足裏が床に着いていない等々の因習がある。立位でも悪い方の足は無意識のうちに体重を乗せていない。これらは、本人が無意識のうちににしていることなので、それを意識させて改めてもらう必要がある。
【００４９】  図３（Ａ）乃至（Ｇ）をもとに本発明の第３の実施の形態を説明する。本発明は履き物の例として靴について説明する。
【００５０】  図３（Ａ）は靴の側面からの透視図。（Ｂ）は上面からの透視図。靴は、足を支える土台部分である本底３０と、本底をのぞいた上の部分、アッパーからなる。図３（Ａ）のアッパーは甲部３１と踵を包むカップ部７０からなる。
【００５１】  また、アッパーは、（Ａ）に示すように、甲部３１をカップ部７０まで延長して腰革７４と縫合して一体にしてある。甲部３１の上面側にファスナー３２を長く設けておくと、あらかじめ足の甲部に特許登録第４３７４４２４号の帯状部１０を装着した足を甲部３１に挿入してファスナー３２を引き上げるだけで容易に履くことができる。歩行時、足が地面から離れている遊脚期に、足が爪先部６０とカップ部７０から離れることを防止するためには、足と靴が一体化するような伸縮性のある生地素材を甲部３１に採用するとよい。甲部３１は接着剤で本底３０と一体となっている。
【００５２】  図３（Ｃ）はカップ部７０の側面図である。カップ部７０はカウンター７１が中心となる。カウンター７１の水平部分は歩行時の体重を受け止める役割を果たし、カウンター７１の水平部分に対してほぼ直交する壁の部分も歩行時の体重を受け止める役割をはたす。カウンター７１の素材は軽いアルミ合金や硬質樹脂などでもよい。カウンター７１の水平部分の表面には三進興産株式会社製のソルボセイン等の振動吸収性のある踵シート７２を設ける。踵シート７２の表面には綿等の吸湿性のある生地を貼り、履き心地をさらによくする。カウンター７１の水平部分の裏面は、本底と接着剤で圧着固定してある。カウンター７１の後ろ側の壁面は、図３（Ｃ）に示すように後ろ凸の柔らかいカーブをもたせると踵のおさまりがよくなり、後述する踵の緩衝材７３の作用効果も高くなる。カウンター７１後壁の外側に貼る腰革７４の素材は、足の甲部３１と同じような綿、ナイロンなどの人工繊維の生地、あるいは革でもよい。カウンター７１の内側には面ファスナー７５を設け、踵の緩衝材７３を固定できるようにする。踵の緩衝材７３は、パスカルの原理によって踵部にかかる圧力が一点に集中するのではなく、水圧が面的に均等に分散するので、かなり強い近接力を移動機構により与えても利用者には苦痛にならないので、完成度の高いアーチを再生するための重要な役割を果たす。踵の緩衝材７３に入れるものは、水、高分子吸水体ポリマーなど。ゾル状の流体でもよいし、ゲルでもよい。踵の緩衝材７３の形は上底が短い台形になる。そのサイズは、例えば足の長手方向のサイズが２６ｃｍの人向きの履き物の場合には、袋体の上底がおよそ８ｃｍ、下底は１４ｃｍ程度、高さは６ｃｍ程度あればよい。万が一の破裂に備えて２重包装にするとよい。もちろん、履き物のサイズによって袋のサイズも流体の封入量も変わる。封入する流体の量は、履き物が同じサイズでも踵の横幅は個人差があるので、同サイズの袋でも流体の封入量をＳ（少なめ），Ｍ（普通），Ｌ（多め）の３種類ほど用意するとよい。カウンター７１のなかで踵の位置が定まると歩行時のアーチ形状が安定するという効果もある。踵の緩衝材７３は美観を高めるために綿やナイロン製の生地、バックスキンやなめし革などで包む。そして、踵の緩衝材７３のカウンター側の面に面ファスナー７６を設け、カウンターの内側に設けた面ファスナー７５と係合固定できるようにすると、踵の緩衝材７３の交換が自由にできる。
【００５３】  続いて図３（Ａ）および（Ｄ）乃至（Ｆ）をもとに、爪先部６０と、本底３０の中に設けた移動機構８０、および本底３０について説明する。
【００５４】  爪先部６０の中心となる足趾プレート６１には、足の縦アーチの前端部である第１〜第５中足骨のうち少なくとも１つの中足骨を触知可能な足裏部位が当接するが、内側及び／又は外側の縦アーチだけを限定的に再生したい場合と、２つの縦アーチを総合的に再生したい場合とは、足趾プレート６１に関わる部材の形態が変わるので、まずは、第１〜第５中足骨に総合的に作用して２つの縦アーチを同時に再生する実施形態について述べ、限定的に再生する実施形態は後に図３（Ｇ）をもとに示す。
【００５５】  図３（Ｄ）は、第１〜第５中足骨の全趾に作用して内側および外側の縦アーチを同時に再生する爪先部６０の構造を示す。足趾プレート６１には、２つの縦アーチの前端部である第１〜第５中足骨を触知可能な足裏部が当接する。足趾プレート６１は軽量アルミやプラスチック樹脂などからなり、その靴のサイズにフィットする「中敷き」の形の少なくとも爪先側２／５を含むの形状として成型する。足趾プレート６１には、勾配６３をもつストッパー６２が固定されている。勾配６３は約３０度がよい。ストッパー６２は、上から見ると第２の実施形態の１５ａのように月形の切り込みがあり、側面から見ると踵側は足趾プレートに対して直交する壁面６４があり、爪先側はアッパーの甲部３１と同じ丸みを有する形をなす。ストッパー６２の壁面６４には面ファスナー６５を設け、後述する前端部の緩衝材６６を固定できるようにする。前端部の緩衝材６６は、個体差のある第１〜第５中足骨を触知可能な足裏部位の長さの凹凸を流体が埋めてくれる。そして、パスカルの原理によって第１〜第５中足骨の頭部を触知可能な足裏部位にかかる圧力が一点に集中するのではなく、水圧が面的に均等に分散するので、第１〜第５中足骨の頭部を触知可能な足裏部位にかなり強い近接力を移動機構により与えても利用者には苦痛にならないので、完成度の高いアーチを再生するための重要な役割を果たす。前端部の緩衝材６６に入れるものは、踵の緩衝材７３同様、水、高分子吸水体ポリマーなどのゾル状の流体でもよいし、ゲルでもよい。前端部の緩衝材６６の形は円柱状になる。例えば足の長手方向のサイズが２６ｃｍ用の人の場合、足の横幅（第１中足骨頭部の内縁から第５中足骨頭部の外縁の長さ）は１２ｃｍくらいが基準になるので、袋体のサイズは、横が１２ｃｍ、縦が３．５ｃｍ程度を基本にするとよい。袋体は万が一の破裂に備えて２重包装にするとよい。流体を封入する量は、前端部の緩衝材６６をストッパーの月形の切り込みにおさめて、手の五本の指の先で押してみて、五本の指先が少し袋体に入るという程度がよい。履き物のサイズによって袋のサイズも流体の封入量も変わる。また、足の横幅は足の長手方向のサイズが同じでも個人差があるので、袋体の縦の３．５ｃｍは同じとしても、横の長さを基本の１２ｃｍ以外に、１３ｃｍ、１４ｃｍと３種類ほど用意するとよい。足幅が１２ｃｍよりも短い（足が細い）人ほど長い袋体を用いることになる。使用者の足幅を越えた袋体の長さ分だけ第１及び第５中足骨の両側面に回り込み、足が靴の中で横方向に動揺しないように流体の圧力で固定する。これで歩行時に再生された足のアーチが安定的に持続することが可能になる。足の長手方向のサイズが２６ｃｍでも、足の幅が１２ｃｍ以上ある人は、ワンサイズ上の履き物で足幅を合わせて、ダイヤル８８で長手方向のサイズを合わせるとよい。前端部の緩衝材６６は綿やナイロン製の生地などの薄い素材で包むとよい。そして、前端部の緩衝材６６に面ファスナー６５’を設け、ストッパー６２の壁面６４に設けた面ファスナー６５と係合固定できるようにする。これで前端部の緩衝材６６の交換が自由にできる。足趾プレート６１およびストッパー６２の勾配面には、三進興産株式会社製���ソルボセイン等の振動吸収性のある足趾シート６７を設ける。足趾シート６７に綿等の吸湿性のある生地を貼ると、履き心地はさらによくなる。足趾プレート６１の水平部分と前端部の緩衝剤６３には、第１〜第５中足骨の触知可能な足裏部が当接し、中足骨より先にある足の指（趾）はストッパー６２の勾配面にのせるかたちとなる。足趾プレート６１の下面には、前内突起６８、前外突起６８’、後内突起６９、後外突起６９’といった４つの突起があり、次に述べる移動機構８０と連結する。
【００５６】  図３（Ｅ）は移動機構８０の構造を示す。上記爪先部６０の足趾プレート６１はその下面でジョイントプレート８１と連結する。そして、ジョイントプレート８１は移動ねじ８２と連結する。ジョイントプレート８１は柔軟性を有する丈夫な樹脂やバネ鋼板がよい。移動ねじ８２の前端はジョイントプレート８１と結合し、後端側はダイヤル８８と連結するためのねじピッチが刻んであり、その間にはスプリング９１を受ける止めるツバ８２’がある。移動ねじ８２は軽くて丈夫な素材であれば、樹脂でも金属でもよい。足趾プレート６１とジョイントプレート８１の連結方法は接着でも溶接でもよい。ジョイントプレート８１と移動ねじは留め具４３を用いて接着した。ジョイントプレート８１は前方部で足阯プレート６１と連結し、後方部では移動ねじ８２と連結する。その隙間部分９０は剛性が低くなるので、それを靴底の柔軟性に活かす。ジョイントプレート８１に柔軟性を有する丈夫な樹脂やバネ鋼板を採用するのはそのためである。歩行時、あしの裏はわずかながらたわむので、靴がそれと同調することは快適で自然な歩行を実現するための必須要件となる。足趾プレート６１、およびジョントプレート８１は一体となって滑る台８３にのる。足の前端部と後端部を近づけたり遠ざけたりする時、つまり足のアーチ再生をはかる時や本履き物を脱ぐ時など、足の長手方向に円滑に移動する。滑る台は、フッ素樹脂等の摩擦係数の小さく耐熱性のある素材がよい。滑る台８３には、足趾プレート６１の下面に設けた４つの突起、前内突起６８、前外突起６８’、後内突起６９、後外突起６９’が貫通する４つの縦長の貫通孔、前内孔８４’、前外孔８４’、後内孔８５、後外孔８５’を設け、滑る台８３の裏側から４つのスナップ４１、４１’、４２、４２’で４つの突起と接着等で固定し、足趾プレート６１と滑る台８３が分離しないようにする。そして、移動ねじ８２の後端部をスプリング９１、ダイヤルボックス８６のスプリングホール８６’、ダイヤルホール８７’の順番に通す。スプリング９１の一端の外径および移動ねじのツバ８２’の外径はスプリングホール８６’の内径にちょうどおさまるサイズとし、スプリング９１の他端はツバ８２’の径よりも小さいサイズとして組み立てる。そして、移動ねじ８２の後端部をフッ素樹脂等からなる滑るリング８９に通し、ダイヤルボックス８６のダイヤルホール８７’にダイヤル８８の凸部分であるダイヤルイン８７を挿入し、移動ねじ８２の後端部のねじがダイヤルイン８７のねじのピッチにおさまるようにダイヤルを回して移動ねじ８２と連結させる。爪先部６０はスプリング９１によって常に足の先端側に送らているので、爪先部６０を近カップ側に寄せたり、足の先端側に送ったりする際、ダイヤル操作が安定的にできる。
【００５７】  図３（Ｆ）にて本底３０の説明をする。本底３０は、滑る台８３とダイヤルボックス８６を収容して接着固定できるようにウレタンゴム等の軽くて形成しやすい素材からなる。また、ダイヤルボックス８６のスプリングホールから移動ねじ８２とジョイントプレート８１の連結部分の下には、シャンクピース３９を埋設し、上記移動機構の一部を歩行時の衝撃から守るようにすると、足と靴の両者にとって好ましい。また、爪先部分をウレタンゴム等でドーム状のカップ３８を成型し、甲部３１を内側に貼り、靴の先端部分の形崩れを防ぐのもよい。ダイヤル８８を時計回り、反時計回りに回すことで、移動ねじ８２を介して爪先部６０を長手方向に３ｃｍ前後移動させることができる。第３の実施形態はこのような構造をもつので、荷重に強い中空の足の内側及び外側の縦アーチを再生することができる。
【００５８】  限定的な実施形態の上面図を図３（Ｇ）に示す。足趾プレート６１には、足の縦アーチの前端部である第１〜第５中足骨のうち少なくとも１つの中足骨を触知可能な足裏部位が当接する。内側又は外側の縦アーチだけを限定的に再生したい場合は、２つの縦アーチを同時に再生する前記実施例とは爪先部６０に関わる部材の形態が少し異なる。例えば、内側の縦アーチの要である第１中足骨に対する限定的な実施形態は、図３（Ｇ）に示すように第１中足骨を触知可能な足裏部位が、足の第１趾プレート９２およびおよび第１の前端部の緩衝材９４に当接し、第１中足骨から先にある第１基節骨、末節骨は第１の前端部のストッパー９３の勾配面にのることになる。そして、第１趾プレート９２だけが移動機構８０と連結する。ダイヤル８８の操作で第１趾プレート９２を足の長手方向に近接移動させることで内側の縦アーチを再生する。のこる第２〜第５の中足骨を触知可能な足裏部位は、移動機構８０とは連結しない。本底と接着固定した足の第２〜第５趾プレート９５と第２の前端部の緩衝材９７に当接し、その先の足指（趾）は第２の前端部のストッパー９６の勾配面にのるだけになる。また、外側の縦アーチの要である第５中足骨に対する限定的な実施形態はそれに準じた形態変更がなされる。限定的な実施形態は、爪先部６０に関わる部材が、先に述べた第１〜第５中足骨の全趾に作用して内側および外側の縦アーチを同時に再生する実施形態とは異なる。それ以外の素材、組立順等に関しては基本的に同じである。
【００５９】  第３の実施例は履き物なので、荷重の変動が生じる使用環境になる。体重６０キログラムの人が、本発明の履き物に足を入れて、本底の後ろに設けたダイヤルで縦アーチ再生の調節をして歩いた場合、片足には６０キログラムの荷重がかかったり、荷重０キログラムになったり、体重の２倍の荷重がかかるなどの荷重変動が生じる。しかし、上記第３の実施形態は、弾性を有する筒状体のように、縦アーチの両脚間の距離が広がったりしないし、狭くなったりもしない。したがって、第３の実施形態は、足部の荷重変動や、足の甲の高さに関係なく、荷重に強い中空の足の内側、および外側の縦アーチを安定的に維持再生することができる。
【符号の説明】１，１１  ・・・可動部材（第１の部材）
２，１２・・・・固定部材（第２の部材）
３，１３・・・・移動機構
４，１４・・・・基盤
１５ａ，１６ａ・・・・・ストッパー
１５ｂ，１６ｂ・・・・・緩衝材
４１，４２，４３，４４，４５・・第１〜第５中足骨
５１・・・・踵骨
５２・・・距骨
５０・・・立方骨
５３／５４・・第１基節骨／第１末節骨
１０・・・帯状部
【図１】
0005277478.tif 000002
【図２】
0005277478.tif 000003
【図３】
0005277478.tif 000004
【図４】
0005277478.tif 000005
【図５】
0005277478.tif 000006
【図６】
0005277478.tif 000007